(57)【要約】【課題】使用可能な電力容量に制限がある携帯機器でも無駄な電力消費を極力避ける。【解決手段】無線信号による送信処理を行なう送信部（31〜33）と、現在時刻を計時する内部クロック24ａと、送信禁止時間を記憶するＲＡＭ30と、上記内部クロック24ａで計時された時刻が上記送信禁止時間であることを検出した場合に上記送信部（31〜33）での処理動作を停止させ、その停止中に上記内部クロック24ａで計時された時刻が上記送信禁止時間でないことを検出した場合に上記送信部（31〜33）の処理動作の停止を解除させるＣＰＵ24とを備える。【選択図】      図３
2006191672.tif 000002
【特許請求の範囲】
【請求項１】
無線信号による送信処理を行なう送信手段と、当該装置に対し電源の供給を指示する電源供給指示手段と、この電源供給指示手段による指示により、上記送信手段を含め当該装置に電源を供給する電源供給手段とを備えた携帯用通信装置において、
上記電源供給手段による上記送信手段への電源供給を停止する供給停止手段と、
この供給停止手段により上記送信手段へ電源供給が停止されることを記憶する記憶手段と、
当該装置への電源供給停止を指示する停止指示手段と、
上記停止指示手段による指示の後上記電源供給指示手段により電源供給が指示されたとき、上記記憶手段に上記送信手段へ電源供給の停止が記憶されていた場合、上記供給停止手段による電源供給の停止を継続するよう制御する制御手段と
を備えたことを特徴とする携帯用送信装置。
【請求項２】
上記供給停止手段により上記送信手段への電源供給が停止されていることを報知する報知手段を更に備えたことを特徴とする請求項１に記載の携帯用送信装置。
【発明の詳細な説明】
【技術分野】
【０００１】
本発明は、携帯使用して無線信号によるデータの送信を行なう携帯用送信装置に関する。
【背景技術】
【０００２】
近時、テレターミナルシステム等に代表される無線による相互のデータ通信を目的とした実施に伴い、従来は受信専用だったページング受信機にデータ送信機能を付加し、双方向の通信を可能としたページング送受信機が企画、販売されている。そして、この種のページング送受信機において、例えば第１のページング送受信機を携帯している使用者から、第２のページング送受信機を携帯している使用者に対してメッセージをデータ送信した場合、第２のページング送受信機では第１のページング送受信機から送られてきたメッセージ中の応答要求信号に対応して使用者による操作を待つことなく自動的に応答（アックバック）信号を作成して第１のページング送受信機に送信し返す、所謂アックバック送信機能を有するものが考えられている。
【０００３】
このアックバック送信機能を利用することにより、第１のページング送受信機の使用者は第２のページング送受信機の使用者に操作等の余計な負担をかけることなく、無事にメッセージが届いたか否かを確認できるだけでなく、予め回答選択肢を設けた質問をメッセージとして送信し、これに対する回答を応答信号にのせて受信できるようにもなるものである。
【発明の開示】
【発明が解決しようとする課題】
【０００４】
しかしながら、上記ページング送受信機のような携帯機器は使用時に電磁波を放出するものであり、特定の環境下、例えば旅客機等の特殊の計器を備えた乗り物の中では該計器に悪影響を与える虞があるために、その使用が禁止されている。したがって、送信機能を携帯機器では、上記のような特定の環境下ではその使用を控えなければならない。
【０００５】
また、送信出力が小さく、送信可能な範囲が制限されている携帯機器の使用者が、送信可能な範囲外に存在する場合には、送信動作を行なっても送信相手先とのコンタクトはとれない。したがって、送信動作を行なって始めて使用者は自分が該エリアの外に存在することを確認する。
【０００６】
さらに、上記アックバック送信機能を備えたページング送受信機では、送信相手先が応答可能な環境下に存在すると確認できないので、そのような場合には応答信号が受信されるまで送信動作を継続して行ない、結果として無駄に電力を消費してしまうこととなる。
【０００７】
このように、ページング受信機等に代表される受信機にデータ送信機能を付加しても、周囲環境や利用するシステムの状況に左右されることが多く、情報伝送手段として、携帯送信機能は、必ずしも使い勝手に適しているとは言えるものではなかった。
【０００８】
本発明は上記のような実情に鑑みてなされたもので、その目的とするところは、使用可能な電力容量に制限がある携帯機器でも無駄な電力消費を極力避け、利用者に対し、送信可能か否かを報知することが可能な携帯用送信装置及び携帯用通信装置を提供することにある。
【課題を解決するための手段】
【０００９】
すなわち本発明は、
（１）  無線信号による送信処理を行なう送信手段と、当該装置に対し電源の供給を指示する電源供給指示手段と、この電源供給指示手段による指示により、上記送信手段を含め当該装置に電源を供給する電源供給手段とを備えた携帯用通信装置において、上記電源供給手段による上記送信手段への電源供給を停止する供給停止手段と、この供給停止手段により上記送信手段へ電源供給が停止されることを記憶する記憶手段と、当該装置への電源供給停止を指示する停止指示手段と、上記停止指示手段による指示の後上記電源供給指示手段により電源供給が指示されたとき、上記記憶手段に上記送信手段へ電源供給の停止が記憶されていた場合、上記供給停止手段による電源供給の停止を継続するよう制御する制御手段とを備えるようにしたものである。
【００１０】
このような構成とすれば、供給停手段により送信手段への電源供給を停止させた状態で携帯用送信装置へ電源供給の停止を指示した後、再度、当該装置へ電源供給を指示しても、上記送信手段への電源供給は停止が継続されているので、使用可能な電力容量に制限がある携帯機器でも無駄な電力消費を極力避けることが可能となる。
【００１１】
（２）  上記（１）項において、上記供給停止手段により上記送信手段への電源供給が停止されていることを報知する報知手段を更に備えようにしたものである。
【００１２】
このような構成とすれば、上記（１）項に加えて、上記送信手段へ電力供給が停止されていることを報知させることで、利用者に対し、送信可能か否かを報知することが可能となる。
【発明の効果】
【００１３】
本発明によれば、使用可能な電力容量に制限がある携帯機器でも無駄な電力消費を極力避けることが可能な携帯用送信装置を提供することができる。
【発明を実施するための最良の形態】
【００１４】
（第１の実施の態様）
以下本発明を携帯用通信端末機器に適用した場合の第１の実施の形態について図面を参照して説明する。
【００１５】
図１はこの携帯用通信端末機器を運用するための通信システムの概念構成を示すもので、１Ａ，１Ｂがそれぞれ当該携帯用通信端末機器、２，２，…，２′，２′，…が受信基地局、３，３′が送信基地局、４，４′が中継器、５がオペレーションセンタ、６が通信衛星である。
【００１６】
同図に示す如く携帯用通信端末機器１Ａが存在している第１のエリアＡ１では、公衆電話回線７を介してリンクされた複数、例えば５つの受信基地局２，２，…と、通信衛星用受信アンテナ３ａを備えて当該エリア内への送信を行なう送信基地局３と、上記公衆電話回線７を介して上記受信基地局２，２，…で受信されたデータを上記オペレーションセンタ５へ伝送するための中継器４とから通信システムが構成されている。
【００１７】
同様に携帯用通信端末機器１Ｂが存在している第２のエリアＡ２では、公衆電話回線７′を介してリンクされた複数、例えば５つの受信基地局２′，２′…と、通信衛星用受信アンテナ３ａ′を備えて当該エリア内への送信を行なう送信基地局３′と、上記公衆電話回線７′を介して上記受信基地局２′，２′，…で受信されたデータを上記オペレーションセンタ５へ伝送するための中継器４′とから通信システムが構成されている。
【００１８】
図２は上記携帯用通信端末機器１Ａ，１Ｂ共通の外観構成を示すもので、本体ケース１１の前面に、共に液晶表示パネルと透明タッチパネルとを一体的に形成した２つの表示入力部１２１，１２２、着信報知時に点灯するＬＥＤ１３、各種キー１４ｂ〜１４ｆを有するキー入力部１４が設けられる。
【００１９】
ここでキー入力部１４は、本体ケース１１側面の電源のオン／オフを操作する電源キー１４ａも含み、他に上下左右各方向へのカーソル移動を指示するためのカーソルキー１４ｂ、後述するメッセージデータ用メモリエリアＭＭに格納された着信メッセージデータの読出しモードを選択する際に操作する着信読出しキー１４ｃ、作成した後にデータ変換されて後述する出力ボックスＯＢに格納されたメッセージデータを読出す際に操作する出力ボックス読出しキー１４ｄ、後述するＣＡＬＬバンク用メモリエリアＣＢに格納された登録者一覧を表示する際に操作するＣＡＬＬバンクキー１４ｅ、及び後述するスケジュールデータ用メモリエリアＳＤに格納されたスケジュールデータを読出す際に操作するスケジュールモードキー１４ｆを有するものとする。
【００２０】
上記表示入力部１２２は、図２（ａ）の数字キーのキーボード表示時と図２（ｂ）のアルファベットキーのキーボード表示時とで示すように、表示するキーボードを選択することができ、本体ケース１１に付属の入力ペン１５でこれら表示入力部１２２に表示されたキーボード１２中の任意キー部分を押圧操作することによりデータの入力が可能となっている。
【００２１】
表示入力部１２２における表示キーボードの選択は、図中に「Ｃ」「Ａ」「ａ」で示すキー部を入力ペン１５で押圧操作することにより、数字や各種記号のキーのキーボードからアルファベットの大文字あるいは小文字のキーボードに切換表示され、アルファベットの入力も可能となると同時に、ローマ字入力と「カナ」キーの押圧操作とでカナ漢字変換を行なうことによりかな文字も入力可能となり、これらの統括操作によってデータの新規作成、登録、削除等を行なうことが可能になるものである。
【００２２】
図３は上記携帯用通信端末機器１Ａ，１Ｂに設けられる回路の概略構成を示すもので、２１は受信アンテナであり、この受信アンテナ２１はＲＦ受信部２２に接続し、このＲＦ受信部２２をデコーダ部２３を介してＣＰＵ２４に接続している。ＲＦ受信部２２は、受信アンテナ２１で受信した受信データを復調する。
【００２３】
上記デコーダ部２３は、ＩＤ−ＲＯＭ２５を接続しており、このＩＤ−ＲＯＭ２５は当該携帯用通信端末機器１Ａ（１Ｂ）に個別に割当てられたＩＤコード、詳細にはフレームデータやアドレスデータ等を記憶したもので、このＩＤコードをデコーダ部２３に与えるようにしている。
【００２４】
デコーダ部２３は、電源投入を検出した時点においては、所定時間内に同期信号が受信されるまでＲＦ受信部２２を連続的に常時駆動させ、同期信号を受信すると今度はＩＤ−ＲＯＭ２５より取込んだＩＤコードに基づいて間欠駆動させる。そして、ＲＦ受信部２２で復調した信号を解読し、これが自機に割当てられたＩＤコードに一致したと判断すると、一致検出信号及び続いて受信されるメッセージデータをＣＰＵ２４に送出するようにしている。
【００２５】
ＣＰＵ２４は、現在の時刻を計時する内部クロック２４ａを有し、上述したキー入力部１４、表示入力部１２１，１２２を駆動制御するドライバ２６、上記ＬＥＤ１３を含む報知部２７を駆動制御するドライバ２８、ＲＯＭ２９、ＲＡＭ３０、及びエンコーダ部３１を接続している。
【００２６】
またＣＰＵ２４は、後述するＲＡＭ３０内の移動手段用メモリエリアＭＢと連動してエンコーダ部３１、ＲＦ送信部３２に対し、電源供給を制御する。
【００２７】
エンコーダ部３１は、上記キー入力部１４の出力ボックス読出しキー１４ｄの操作によって後述するＲＡＭ３０の出力ボックスＯＢから読出され、ＣＰＵ２４より送られてくるメッセージデータを符号化してＲＦ送信部３２へ出力し、ＲＦ送信部３２はこの符号化されたメッセージデータをさらに所定の変調方式によって変調して送信アンテナ３３より上記受信基地局２，２，…（２′，２′，…）に対して無線送信させる。
【００２８】
しかして、上記受信アンテナ２１及び送信アンテナ３３は、ここでは別体のもものとして説明するが、送受信を行なう電波の変復調方式によっては、受信アンテナ２１と送信アンテナ３３とを共用化し、時分割で切換えるようにすることもできる。
【００２９】
上記ドライバ２６は、表示入力部１２１，１２２を構成する液晶表示パネルをそれぞれ表示駆動する一方、これら液晶パネルにそれぞれ一体にして構成される透明タッチパネルをサンプリング駆動するもので、上記入力ペン１５の操作により該透明タッチパネルに入力がなされた場合にはその位置座標に応じた操作信号がＣＰＵ２４に入力される。
【００３０】
上記報知部２７は、スピーカ、バイブレータ及び上記ＬＥＤ１３よりなり、それぞれＣＰＵ２４の制御により動作するドライバ２８に駆動されて、着信に応じた呼出し状態をブザー音、振動、及び光の点滅でそれぞれこの携帯用通信端末機器１Ａ（１Ｂ）の使用者に報知するものである。
【００３１】
上記ＲＯＭ２９は、ＣＰＵ２４のために予め用意された各種制御プログラム、及び表示入力部１２１，１２２からの入力に基づいてキャラクタデータを発生させるキャラクタジェネレータと共に、後述する移動手段データ等を固定記憶している。
【００３２】
上記ＲＡＭ３０は、図４に示すようなメモリエリアの構成となっており、世だ番号等、送信先の各種情報を記憶するＣＡＬＬバンク用メモリエリアＣＢ、作成したメッセージデータを送信時まで一時的に格納しておく出力ボックスＯＢ、着信したメッセージデータを記憶するメッセージデータ用メモリエリアＭＭ、自己のスケジュールデータを管理、記憶しておくスケジュールデータ用メモリエリアＳＤ、及び移動手段データを記憶する移動手段用メモリエリアＭＤを有する。
【００３３】
図５は携帯用通信端末機器１ＡのＲＡＭ３０のスケジュールデータ用メモリエリアＳＤに格納されるスケジュールデータを例示するもので、該メモリエリアＳＤ内には月（ＭＮＴＨ）、日（ＤＴ）、スケジュールデータが登録されている登録番号（ＥＮ）、開始時刻（ＳＴ）、終了時刻（ＥＤ）、内容（ＢＵＳ）、場所（ＰＬＳ）を組としたスケジュールデータが複数組分記憶格納されている。
【００３４】
図６は環境情報として同ＲＡＭ３０の移動手段用メモリエリアＭＤに格納される移動手段データを例示するものであり、上記スケジュールデータ用メモリエリアＳＤに格納記憶されスケジュールデータに対応しており、先のスケジュールの終了時刻（ＭＳＴ）から次のスケジュールの開始時刻（ＭＥＤ）までの間において利用される車、電車等の移動手段（ＭＢ）を組にした移動手段データが複数組分記憶格納されている。
【００３５】
この移動手段用メモリエリアＭＤに記憶される移動手段（ＭＢ）に対応して、ＲＯＭ２９には予め図７に示すような送信判断データが固定記憶されている。この送信判断データは、上記移動手段（ＭＢ）となり得る飛行機、電車、車、徒歩等の各情報に対し、上記ＲＦ受信部２２及びデコーダ部２３からなる送信部での送信駆動を行なうか否かを示す情報（図では「○」「×」で示す）を対にして記憶させたものである。
【００３６】
電源回路３４は、電源キー１４ａの操作に従い、各回路に電源を供給する回路である。
【００３７】
次に上記第１の実施の形態の動作について説明する。
【００３８】
ここでは、現在の日付及び時刻が「９５年５月１日（午前）９時」であり、スケジュールデータとして「９５年５月１日」すなわち当日の「１３時」から「１５時」まで「定例会議」を「Ｘ−センター」で行なうことを登録する場合の処理動作について例示する。
【００３９】
図８は上記携帯用通信端末機器１Ａ，１Ｂにおける電源投入後の主としてＣＰＵ２４により制御されるスケジュールデータの作成と登録に係る処理内容を示すものであり、キー入力部１４の電源キー１４ａを操作することで電源がオンとされると、まず着信待ちの状態を設定すると共に（ステップＡ１）、スケジュールデータを入力するスケジュールモードを選択するべくスケジュールモードキー１４ｆの押圧操作を待機する（ステップＡ２）という動作を繰返し実行する。
【００４０】
そして、スケジュールモードキー１４ｆが押圧操作され、スケジュールモードが選択されたと判断した場合、当日の日付に該当するスケジュールデータがすでにＲＡＭ３０のスケジュールデータ用メモリエリアＳＤに格納されているか否かを検索して判断し（ステップＡ３）、格納されていればその該当するスケジュールデータをスケジュールデータ用メモリエリアＳＤから読出してタイムテーブルを作成して表示部１２１で表示させ（ステップＡ４）、格納されていなければ上記タイムテーブルに代えて当月の七曜を表わしたカレンダを作成して表示部１２１で表示させ、当日部分の数字を点滅させる（ステップＡ５）。
【００４１】
図９はこのときの表示入力部１２１での表示画面を例示するもので、上記ステップＡ３で当日の日付に該当するスケジュールデータが格納されていると判断された後に、ステップＡ４で作成して表示入力部１２１に表示されたタイムテーブルを示している。
【００４２】
同図中では、現在の日付及び時刻が「９５年５月１日  ９：００」であり、（１）〜（３）の３つのスケジュールデータの内容と場所が
（１）  オフィスワーク  会社
（２）  ディナー  Ｙ−ホテル
（３）  帰宅  自宅
であること、及び上記３つのスケジュールの時間帯の１日におけるタイムテーブルが表示部１２１の１画面内に表示されると共に、新規のスケジュールデータを入力するスケジュールモードであることを示す「新規」の文字が表示される。
【００４３】
また、タイムテーブル上には、図示する如く上記（１）のスケジュールデータの前位置に移動が必要であることを示す部分ＴＣがハッチングで、空き時間部分ＰＴＣが大きな「×」印でそれぞれ表示される。
【００４４】
このような表示状態において、入力ペン１５により上記表示入力部１２１の「新規」の文字部分が押圧操作されたか否かによりスケジュールデータを新規作成するための確認がなされたか否か判断する（ステップＡ６）。
【００４５】
ここで表示入力部１２１の「新規」の文字部分が押圧操作され、スケジュールデータを新規作成する確認がなされたと判断すると、次いで実際のスケジュールデータの開始時刻（ＳＴ）、終了時刻（ＥＤ）、内容（ＢＵＳ）及び場所（ＰＬＳ）の各情報の入力及び入力したスケジュールデータの登録を行なう（ステップＡ７）。
【００４６】
スケジュールデータの入力は、上述した如く表示入力部１２２に表示されるキーボードの任意のキーを入力ペン１５で押圧操作することで数字、記号、アルファベットのみならず、アルファベット入力後の「カナ」キー操作によるローマ字かな変換で、ひらがな、カタカナへの変換、さらにかな表示されているキャラクタ列を入力ペンで変換する範囲をドラッグすることで漢字への変換も可能となるものである。
【００４７】
そして、スケジュールデータの開始時刻（ＳＴ）、終了時刻（ＥＤ）、内容（ＢＵＳ）及び場所（ＰＬＳ）の各情報をすべて入力し終えた段階で、登録すべきスケジュールデータが確定され（ステップＡ７）、その時間に対応してタイムテーブル上に表示される。
【００４８】
次いで、この確定内容により前後に位置するスケジュールデータから空き時間が存在するか否か判断し（ステップＡ８）、空き時間が存在する場合にはさらにそのスケジュールデータの場所情報が前後のスケジュールデータの場所情報と異なるか否かにより場所の移動があるか否かを判断する（ステップＡ９）。
【００４９】
ここで場所の移動があると判断した場合には、移動手段の選択を使用者に促す表示を行ない、上記タイムテーブル上の対応する空き時間の部分ＭＴを点滅表示させる（ステップＡ１０）。
【００５０】
図１０はこのときの表示入力部１２１での表示画面を例示するものである。ここでは、「９５年５月１日」の（４）番目のスケジュールデータとして開始時刻「１３：００」、終了時刻「１５：００」、内容「定例会議」及び場所「Ｘ−センター」を入力し、（１）番目のスケジュールの終了時刻「１１：００」からこの（４）番目のスケジュールの開始時刻「１３：００」までの間の移動手段を選択指示して、次にこの（４）番目のスケジュールの終了時刻「１５：００」から（２）番目のスケジュールの開始時刻「１７：００」までの間の移動手段を選択指示するべく、
「移動手段？  （飛行機／電車／車／徒歩）」
のように文字表示する一方、タイムテーブル上で当該時間の部分ＭＴを点滅表示させている。
【００５１】
このような表示状態で、例えば文字「電車」の部分を入力ペン１５のタッチ動作で選択的に操作することにより、移動手段の選択指示を実行する。そして、移動手段の選択指示を実行すると、その選択内容により上記ＲＯＭ２９の送信判断データＭＢを参照した送信禁止か否かの判断とＲＡＭ３０の移動手段用メモリエリアＭＤへの登録を行なう（ステップＡ１１）。
【００５２】
図１１はこのときの表示入力部１２１での表示画面を例示するものである。ここでは、（４）番目のスケジュールデータである「定例会議  Ｘ−センターＡ」内容及び場所を他の（１）〜（３）のスケジュールデータの後に続けて表示させると共に、この（４）のスケジュールデータの位置に「登録」の文字を表示させることで、移動手段を含む一連のスケジュールデータの登録の処理を終了したことを使用者にわかるようにしている。
【００５３】
こうした移動手段を含む登録処理後、あるいは上記ステップＡ８で確定したスケジュールデータの前後に位置するスケジュールデータから空き時間が存在しないと判断した場合、または上記ステップＡ９で空き時間は存在するものの場所の移動がないと判断した場合には、再び上記ステップＡ４のタイムテーブルの作成、表示の処理に戻る。
【００５４】
なお、上記ステップＡ６で入力ペン１５により上記表示入力部１２１の「新規」の文字部分が押圧操作されず、スケジュールデータを新規作成するための確認がなされなかった場合には、代わってモードを切換えるための操作入力が検出されたか否かを判断し（ステップＡ１２）、検出された際にはその検出内容に応じた他のモードでの処理を実行し（ステップＡ１３）、検出されなかった際には再び上記ステップＡ３の当日のスケジュールデータの有無に応じたタイムテーブルあるいはカレンダの表示処理に戻る。
【００５５】
次に上記のようにして登録したスケジュールデータに基づいた送信に関する処理を図１２乃至図１５により説明する。
【００５６】
図１２乃至図１５は上記携帯用通信端末機器１Ａ，１Ｂにおける電源投入後の主としてＣＰＵ２４により制御される一定時間、例えば５〜１５分間隔で繰返し実行されるスケジュールデータの送信に係る処理内容を示すものであり、キー入力部１４の電源キー１４ａを操作することで電源がオンされると、着信待ちの状態となる（ステップＢ１）。この着信待ちの状態から、上記一定時間間隔でＲＡＭ３０のスケジュールデータ用メモリエリアＳＤからその日のスケジュールデータを、同移動手段用メモリエリアＭＤから対応するその日のスケジュールデータの移動手段情報を検索し（ステップＢ２）、まず移動手段情報で送信禁止となるものがあるか否かをＲＯＭ２９の送信判断データＭＢを参照して判断する（ステップＢ３）。
【００５７】
ここで、送信禁止となる移動手段情報があると判断した場合、ＣＰＵ２４は表示入力部１２１で送信禁止シンボルと禁止時間帯ＰＴとを表示させた後（ステップＢ４）、ＣＰＵ２４内部の所定レジスタに記憶されている、前回電源キー１４ａの操作により電源をオフした日付及び時刻とこれに対応して送信禁止シンボルを点灯表示させたか否かを示すフラグとを参照して、このフラグが立っており、前回の電源オフ時に送信禁止シンボルを点灯表示させていたか否か判断する（ステップＢ５）。
【００５８】
ここで、前回の電源オフ時にも送信禁止シンボルを点灯表示させていたと判断すると、次いで上記移動手段用メモリエリアＭＤに記憶されているその日のスケジュールデータの送信禁止となっている時間帯を参照して現在の時刻が送信を禁止されている時間帯に入るか否か判断する（ステップＢ６）。
【００５９】
現在の時刻が送信を禁止されている時間帯に入っていると判断した場合、さらに上記ＣＰＵ２４の内部レジスタにより前回電源キー１４ａの操作により電源をオフした日付及び時刻もまた同禁止時間帯に入っているか否か判断する（ステップＢ７）。
【００６０】
ここで、同禁止時間帯に入っていないと判断した場合、この図１２の処理は上記電源オン後の１巡目の処理であり、且つ現在が送信を禁止されている時間帯内であることとなるので、早速ＣＰＵ２４がエンコーダ部３１及びＲＦ送信部３２からなる送信部への電源供給を断って送信動作を停止させる（ステップＢ１１）。
【００６１】
その後、報知部２７でのスピーカ、バイブレータ及び上記ＬＥＤ１３のうちいずれか設定されたものの駆動により、送信禁止時間内である旨を示すアラーム報知を行なうと同時に、表示入力部１２１で送信禁止シンボルを点滅表示させ、また対応する禁止時間帯を反転表示させる（ステップＢ１２）。
【００６２】
図１６はこのときの表示入力部１２１での表示画面を例示するものである。ここでは、現在の日付、曜日及び時刻が「９５年５月１日（月）  １６：００」であることと共に、現在送信部の動作を禁止していることを示す送信禁止シンボルＴＳを点滅表示させ、また、その日に送信が禁止されている禁止時間帯ＰＴをウィンドウ表示させている。そしてこの禁止時間帯ＰＴでは、現在の時刻が対応する時間帯である「１５：００〜１７：００」内であること、言い換えれば「１７：００」となるまでは送信禁止状態が解除されないことをこの対応する時間帯を反転表示することで表わしている。
【００６３】
このステップＢ１２の処理実行後、アラーム報知のために予め設定された一定時間、例えば３０秒が経過すると判断されるまで上記ステップＢ１２の処理を繰返し実行し、一定時間が経過したと判断した時点で（ステップＢ１３）、上記報知部２７でのアラーム報知を停止させた後（ステップＢ１４）、再び一定時間間隔で上記ステップＢ２からの処理を繰返し実行する。
【００６４】
また上記ステップＢ７で、現在の時刻が送信を禁止されている時間帯に入っており、且つ前回電源キー１４ａの操作により電源をオフした日付及び時刻もまた同禁止時間帯に入っていると判断した場合には、この図１２の処理が同禁止時間帯に入ってから２巡目以降のものであることとなるので、エンコーダ部３１及びＲＦ送信部３２からなる送信部への電源供給を断っている送信動作の停止状態を継続させたままで（ステップＢ８）、表示入力部１２１で対応する現在の時刻を含む禁止時間帯を反転表示させる（ステップＢ９）。
【００６５】
このステップＢ９の処理実行後、予め設定された一定時間、例えば３０秒が経過すると判断されるまで上記ステップＢ９の処理を繰返し実行し、一定時間が経過したと判断した時点で（ステップＢ１０）、再び一定時間間隔で上記ステップＢ２からの処理を繰返し実行する。
【００６６】
さらに上記ステップＢ６で、現在の時刻が送信を禁止されている時間帯に入っていないと判断した場合には、次に前回電源キー１４ａの操作により電源をオフした日付及び時刻が禁止時間帯に入っていたか否か判断する（ステップＢ１５）。
【００６７】
ここで同禁止時間帯に入っていたと判断した場合には、現在の時刻が同禁止時間帯から外れたものとして、上記エンコーダ部３１及びＲＦ送信部３２からなる送信部への電源供給を断っている送信動作の停止状態を解除し、あらためて送信動作を開始させた後（ステップＢ１８）、報知部２７でのスピーカ、バイブレータ及び上記ＬＥＤ１３のうちいずれか設定されたものの駆動により、送信禁止の時間帯を外れた旨を示すアラーム報知を行なうと同時に、表示入力部１２１での禁止時間帯の反転表示を解除する（ステップＢ１９）。
【００６８】
その後、アラーム報知のために予め設定された一定時間、例えば３０秒が経過すると判断されるまで上記ステップＢ１９の処理を繰返し実行し、一定時間が経過したと判断した時点で（ステップＢ２０）、上記報知部２７でのアラーム報知を停止させ（ステップＢ２１）、それから再び一定時間間隔で上記ステップＢ２からの処理を繰返し実行する。
【００６９】
また上記ステップＢ１５で、前回電源キー１４ａの操作により電源をオフした日付及び時刻も禁止時間帯に入っていないと判断した場合には、単にその日の送信が禁止されている時間帯のみを禁止時間帯ＰＴとして表示入力部１２１にウィンドウ表示させ（ステップＢ１６）、その後に予め設定された一定時間、例えば３０秒が経過すると判断されるまで上記ステップＢ１６の処理を繰返し実行し、一定時間が経過したと判断した時点で（ステップＢ１７）、再び一定時間間隔で上記ステップＢ２からの処理を繰返し実行する。
【００７０】
さらに上記ステップＢ５で、ＣＰＵ２４内部の所定レジスタに記憶されている、前回電源キー１４ａの操作により電源をオフした日付及び時刻とこれに対応して送信禁止シンボルを点灯表示させたか否かを示すフラグとを参照して、このフラグが立っておらず、前回の電源オフ時に送信禁止シンボルを点灯表示させていなかったと判断した場合には、次いで報知部２７でのスピーカ、バイブレータ及び上記ＬＥＤ１３のうちいずれか設定されたものの駆動により、送信禁止の時間帯がある旨を示すアラーム報知を行なうと同時に、その時間帯の情報を表示入力部１２１で禁止時間帯ＰＴによりウィンドウ表示させる（ステップＢ２２）。
【００７１】
図１７はこのときの表示入力部１２１での表示画面を例示するものである。ここでは、現在の日付、曜日及び時刻が「９５年５月１日（月）  １１：００」であることと共に、その日のスケジュールデータ内に送信部の動作を禁止するものがあることを示すべく送信禁止シンボルＴＳを点灯表示させ、また、その日に送信が禁止されている禁止時間帯ＰＴをウィンドウ表示させている。
【００７２】
その後、アラーム報知のために予め設定された一定時間、例えば３０秒が経過すると判断されるまで上記ステップＢ２２の処理を繰返し実行し、一定時間が経過したと判断した時点で（ステップＢ２３）、上記報知部２７でのアラーム報知を停止させ（ステップＢ２４）、それから再び一定時間間隔で上記ステップＢ２からの処理を繰返し実行する。
【００７３】
さらに上記ステップＢ２で、検索したスケジュールデータの移動手段情報で送信禁止となるものがないと判断した場合には、次いでＣＰＵ２４内部の所定レジスタに記憶されている、前回電源キー１４ａの操作により電源をオフした日付と現在の日付との一致比較を行なうことにより、日付の更新があったか否かを判断する（ステップＢ２５）。
【００７４】
日付の更新があったと判断した場合は、さらに前日のスケジュールデータをスケジュールデータ用メモリエリアＳＤ及び移動手段用メモリエリアＭＤから読出して送信禁止となっていたものがあったか否か判断し（ステップＢ２６）、あれば報知部２７でのスピーカ、バイブレータ及び上記ＬＥＤ１３のうちいずれか設定されたものの駆動により、日付が変わった旨を示すアラーム報知を行なうと同時に、表示入力部１２１における送信禁止シンボルＴＳを消去させる（ステップＢ２７）。
【００７５】
図１８はこのときの表示入力部１２１での表示画面を例示するものである。ここでは、現在の日付、曜日及び時刻が「９５年５月１日（月）  １１：００」であることのみを表示し、送信禁止シンボルＴＳ、禁止時間帯ＰＴの表示は行なわない。
【００７６】
その後、アラーム報知のために予め設定された一定時間、例えば３０秒が経過すると判断されるまで上記ステップＢ２７の処理を繰返し実行し、一定時間が経過したと判断した時点で（ステップＢ２８）、上記報知部２７でのアラーム報知を停止させ（ステップＢ２９）、それから再び一定時間間隔で上記ステップＢ２からの処理を繰返し実行する。
【００７７】
また、上記ステップＢ２５で日付の更新がなかったと判断した場合、あるいは上記ステップＢ２６で日付の更新はあったものの前日となった日付での送信を禁止しているスケジュールデータは記憶していないと判断した場合には、そのまま表示入力部１２１で送信禁止シンボルＴＳや禁止時間帯ＰＴ等を一切表示しない上記図１８と同様の通常の画面表示を行ない（ステップＢ３０）、これを予め設定された一定時間、例えば３０秒が経過すると判断されるまで継続した後、一定時間が経過したと判断した時点で（ステップＢ３１）、再び一定時間間隔で上記ステップＢ２からの処理を繰返し実行する。
【００７８】
以上のように第１の実施の形態では、自己のスケジュールデータとして設定した移動手段情報により送信を禁止するか否かを判断するようにしたものを例示した。このような構成及び動作を有することにより、移動途中において送信動作が行なえないのにも拘らず送信を行なってしまうことを未然に防止することができるものである。
【００７９】
（第２の実施の形態）
以下本発明を携帯用通信端末機器に適用した場合の第２の実施の形態について図面を参照して説明する。
【００８０】
なお、本実施の形態に係る携帯用通信端末機器自体の外観構成及び回路構成については、上記図２及び図３で示したものと同様であるので、同一部分には同一符号を付してその説明は省略する。
【００８１】
しかして、図１はこの携帯用通信端末機器を運用するための通信システムの概念構成を示すもので、Ａ〜Ｄはそれぞれ送信基地局４３Ａ〜４３Ｄを中心とした第１乃至第４のエリア、４２Ａ，４２Ａ，…，４２Ｂ，４２Ｂ，…，４２Ｃ，４２Ｃ，…，４２Ｄ，４２Ｄ，…は上記各エリアＡ〜Ｄに複数設置された受信基地局であり、Ｚ１は第１のエリアＡ及び第２のエリアＢをカバーして受信基地局４２Ａ，４２Ａ，…，４２Ｂ，４２Ｂ，…が受信可能な第１のゾーン、Ｚ２は第３のエリアＣ及び第４のエリアＤをカバーして受信基地局４２Ｃ，４２Ｃ，…，４２Ｄ，４２Ｄ，…が受信可能な第２のゾーンである。
【００８２】
受信基地局４２Ａ，４２Ａ，…，４２Ｂ，４２Ｂ，…，４２Ｃ，４２Ｃ，…，４２Ｄ，４２Ｄ，…はそれぞれ各エリアＡ〜Ｄ内で公衆電話回線４７Ａ〜４７Ｄを介してリンクされており、それぞれの公衆電話回線４７Ａ〜４７Ｄは、図示しないが中継器を介してオペレーションセンタと接続されている。また、このオペレーションセンタから同じく図示しない通信衛星を経て上記各エリアＡ〜Ｄの送信基地局４３Ａ〜４３Ｄにデータが送信され、送信基地局４３Ａ〜４３Ｄはこのデータをエリア内に存在する携帯用通信端末機器１Ａ，１Ｂに送信するようになっている。
【００８３】
しかして、上記各ゾーンＺ１，Ｚ２内に携帯用通信端末機器１Ａ，１Ｂが存在すれば、送信基地局４３Ａ〜４３Ｄの送信可能な範囲が個々の受信基地局４２Ａ〜４２Ｄの受信可能な範囲に比して充分大きいため、携帯用通信端末機器１Ａ，１Ｂによるデータの送受信が可能となるが、その反面、いずれか一方でもゾーン間を移動している間はデータの送受信は不可能となる。
【００８４】
図２０は携帯用通信端末機器１Ａ，１Ｂに設けられるＲＡＭ３０のメモリエリアの構成を示すもので、送信先の各種情報を記憶するＣＡＬＬバンク用メモリエリアＣＢ、作成したメッセージデータを送信時まで一時的に格納しておく出力ボックスＯＢ、着信したメッセージデータを記憶するメッセージデータ用メモリエリアＭＭ、自己のスケジュールデータを管理、記憶しておくスケジュールデータ用メモリエリアＳＤ、及び各ゾーンにあるエリアとそのエリア内にある場所情報を記憶する場所情報用メモリエリアＺＤを有する。
【００８５】
携帯用通信端末機器１ＡのＲＡＭ３０のスケジュールデータ用メモリエリアＳＤに格納されるスケジュールデータについては、上記図５で例示したものと同様であるものとする。
【００８６】
また、図２１は携帯用通信端末機器１ＡのＲＡＭ３０の場所情報用メモリエリアＺＤに環境情報として格納される場所情報を例示するもので、該メモリエリアＺＤ内にはゾーン、エリア及び場所情報を組とした場所データが複数組分記憶格納されている。
【００８７】
次に上記第２の実施の形態の動作について説明する。
【００８８】
ここでは、現在の日付時刻が「９５年５月１日（午前）９時」であり、スケジュールデータとして「９５年５月１日」すなわち当日の「１３時」から「１５時」まで「定例会議」を「Ｘ−センター」で行なうことを新規登録する場合の処理動作について例示する。
【００８９】
図２２は上記携帯用通信端末機器１Ａ，１Ｂにおける電源投入後の主としてＣＰＵ２４により制御されるスケジュールデータの作成と登録に係る処理内容を示すものであり、キー入力部１４の電源キー１４ａを操作することで電源がオンとされると、まず着信待ちの状態を設定すると共に（ステップＣ１）、スケジュールデータを入力するスケジュールモードを選択するべくスケジュールモードキー１４ｆの押圧操作を待機する（ステップＣ２）という動作を繰返し実行する。
【００９０】
そして、スケジュールモードキー１４ｆが押圧操作され、スケジュールモードが選択されたと判断した場合、当日の日付に該当するスケジュールデータがすでにＲＡＭ３０のスケジュールデータ用メモリエリアＳＤに格納されているか否かを検索して判断し（ステップＣ３）、格納されていればその該当するスケジュールデータをスケジュールデータ用メモリエリアＳＤから読出してタイムテーブルを作成して表示部１２１で表示させる（ステップＣ４）。
【００９１】
このときの表示入力部１２１での表示画面が上記図９で示したものと同様であるものとする。この場合、現在の日付及び時刻が「９５年５月１日  ９：００」であり、（１）〜（３）の３つのスケジュールデータの内容と場所が
（１）  オフィスワーク  会社
（２）  ディナー  Ｙ−ホテル
（３）  帰宅  自宅
であること、及び上記３つのスケジュールの時間帯の１日におけるタイムテーブルが表示部１２１の１画面内に表示されると共に、新規のスケジュールデータを入力するスケジュールモードであることを示す「新規」の文字が表示される。
【００９２】
また、タイムテーブル上には、各スケジュールデータの間のゾーンの変更がないことを示す部分がハッチングで、ゾーンの変更があることを示す部分が大きな「×」印でそれぞれ表示される。
【００９３】
なお、上記ステップＣ３で当日の日付に該当するスケジュールデータはスケジュールデータ用メモリエリアＳＤに格納されていないと判断した場合には、上記タイムテーブルに代えて当月の七曜を表わしたカレンダを作成して表示部１２１で表示させ、特に当日部分の数字を点滅させると共に、新規のスケジュールデータを入力するスケジュールモードであることを示す「新規」の文字を表示させる（ステップＣ５）。
【００９４】
上記ステップＣ４あるいはＣ５による表示状態において、入力ペン１５により上記表示入力部１２１の「新規」の文字部分が押圧操作されたか否かによりスケジュールデータを新規作成するための確認がなされたか否か判断する（ステップＣ６）。
【００９５】
ここで表示入力部１２１の「新規」の文字部分が押圧操作され、スケジュールデータを新規作成する確認がなされたと判断すると、次いで実際のスケジュールデータの開始時刻（ＳＴ）、終了時刻（ＥＤ）、内容（ＢＵＳ）及び場所（ＰＬＳ）の各情報の入力及び入力したスケジュールデータの登録を行なう（ステップＣ７）。
【００９６】
スケジュールデータの入力は、表示入力部１２２に表示されるキーボードの任意のキーを入力ペン１５で押圧操作することで数字、記号、アルファベットのみならず、アルファベット入力後の「カナ」キー操作によるかな漢字変換で、かな混りの漢字をも入力可能となるものである。
【００９７】
そして、スケジュールデータの開始時刻（ＳＴ）、終了時刻（ＥＤ）、内容（ＢＵＳ）及び場所（ＰＬＳ）の各情報をすべて入力し終えた段階で、登録すべきスケジュールデータが確定され（ステップＣ７）、その時間に対応してタイムテーブル上に表示される。
【００９８】
次いで、この確定内容により前後に位置するスケジュールデータを読出し、これらスケジュールデータと上記図２０で示した場所情報用メモリエリアＺＤとを参照して、各スケジュールデータ間の場所の移動でゾーンの変更があるか否かにより送信禁止の判断を行なうと共に、スケジュールデータのスケジュールデータ用メモリエリアＳＤへの登録を行なう（ステップＣ８）。
【００９９】
図２３はこのときの表示入力部１２１での表示画面を例示するものである。ここでは、「９５年５月１日」の（４）番目のスケジュールデータとして開始時刻「１３：００」、終了時刻「１５：００」、内容「定例会議」及び場所「Ｘ−センター」を入力したものとする。
【０１００】
この場合、場所情報用メモリエリアＺＤによればこの（４）番目のスケジュールの前に位置する（１）番目のスケジュールデータの場所情報「会社」と（４）番目のデータの場所情報「Ｘ−センター」は共に第１のゾーンＺ１であるので、ゾーンの変更はなく、２つのスケジュールの間も送信可能な移動区間ＴＣ１としてタイムテーブル上でハッチングにより表示するが、この（４）番目のスケジュールの後に位置する（２）番目のスケジュールデータの場所情報「Ｙ−ホテル」は第２のゾーンＺ２であり、この（４）番目のデータの場所情報「Ｘ−センター」とはゾーンが異なるため、ゾーンの変更があり、２つのスケジュールの間は送信を禁止する移動区間ＰＴＣ１としてタイムテーブル上で大きな「×」印により表示するものである。
【０１０１】
こうしたスケジュールデータ間のゾーンの変更の有無に応じた送信禁止の設定を含む登録処理後、再び上記ステップＣ４のタイムテーブルの作成、表示の処理に戻る。
【０１０２】
なお、上記ステップＣ６で入力ペン１５により上記表示入力部１２１の「新規」の文字部分が押圧操作されず、スケジュールデータを新規作成するための確認がなされなかった場合には、代わってモードを切換えるための操作入力が検出されたか否かを判断し（ステップＣ９）、検出された際にはその検出内容に応じた他のモードでの処理を実行し（ステップＣ１０）、検出されなかった際には再び上記ステップＣ３の当日のスケジュールデータの有無に応じたタイムテーブルあるいはカレンダの表示処理に戻る
【０１０３】
上記図２１に示した場所情報用メモリエリアＺＤは図２０でも示した如くＲＡＭ３０内に領域設定されるものであり、その記憶内容の変更、更新は携帯用通信端末機器１Ａの使用者により自由に設定できるものとする。
【０１０４】
以上のように第２の実施の形態では、自己のスケジュールデータとして設定した場所情報とその前後に位置するスケジュールデータの場所情報の属するゾーンの変更の有無を検出することで送信を禁止するか否かを判断するようにしたものを例示した。
【０１０５】
このような構成及び動作を有することにより、移動途中でゾーンの変更により実際には送信したデータを受信する受信基地局がなくなり、通信不能となるにもかかわらず、無駄に送信動作を行なって、電源である電池を無駄に消耗してしまうことを未然に防止することができるものである。
【０１０６】
（第３の実施の形態）
以下本発明を自動応答機能を有する携帯用通信端末機器に適用した場合の第３の実施の形態について図面を参照して説明する。
【０１０７】
なお、本実施の形態に係る携帯用通信端末機器自体の外観構成と回路構成及び通信システムの概念構成については、上記図２、図３及び図１９で示したものと同様であるので、同一部分には同一符号を付してその説明は省略する。
【０１０８】
図２４は携帯用通信端末機器１Ａに設けられるＲＡＭ３０のメモリエリアの構成を示すもので、送信先の各種情報を記憶するＣＡＬＬバンク用メモリエリアＣＢ、作成したメッセージデータをメッセージ番号と共に送信時まで一時的に格納しておく出力ボックスＯＢ、着信したメッセージデータを記憶するメッセージデータ用メモリエリアＭＭ、同様の携帯用通信端末機器を携帯している仲間のスケジュールデータを管理、記憶しておくスケジュールデータ用メモリエリアＳＤ１、各ゾーンにあるエリアとそのエリア内にある場所情報を記憶する場所情報用メモリエリアＺＤを有する。
【０１０９】
このＲＡＭ３０のスケジュールデータ用メモリエリアＳＤ１は、後述するこの携帯用通信端末機器１Ａと同様の携帯用通信端末機器１Ｂ〜１Ｄを携帯している３人の仲間のスケジュールデータＳＤＢ〜ＳＤＤを管理、記憶するもので、記憶されている個々のスケジュールデータの構成自体は上記図５で例示したものと同様であるものとし、特に携帯用通信端末機器１Ｄを携帯している仲間のスケジュールデータＳＤＤはその内容も上記図５で例示したものと同様であるものとする。
【０１１０】
また、図２５は同ＲＡＭ３０のＣＡＬＬバンク用メモリエリアＣＢに記憶される上記携帯用通信端末機器１Ｂ〜１Ｄを携帯している３人の仲間を含む送信先データを例示するもので、このＣＡＬＬバンク用メモリエリアＣＢ内には端末エリア記号（ＢＮ）、名前（ＮＭ）、及び送信先の呼出番号（ＣＮ）を組とした送信先データが複数組分記憶されているものとする。
【０１１１】
さらに、上記ＲＡＭ３０の場所情報用メモリエリアＺＤには、上記図２１と同様のゾーン、エリア及び場所情報を組とした場所データが複数組分記憶格納されているものとする。
【０１１２】
次に上記第３の実施の形態の動作について説明する。
【０１１３】
ここでは、現在の日付及び時刻が「９５年５月１日  １６時」であり、携帯用通信端末機器１Ａから他の携帯用通信端末機器１Ｂ〜１Ｄへ応答を要求するメッセージデータを送信し、この送信に対応してこれら携帯用通信端末機器１Ｂ〜１Ｄから送信されてきた応答のメッセージを携帯用通信端末機器１Ａが受信しようとする場合の動作を例にとって説明するものとする。
【０１１４】
図２６はこのとき各携帯用通信端末機器１Ａ〜１Ｄが存在しているゾーン及びエリアの位置を例示するもので、始めに応答を要求するメッセージデータを送信する携帯用通信端末機器１Ａは第１のゾーンＺ１内の第１のエリアＡ近傍に位置している。また、上記図５のスケジュールデータ内容及び上記図２１の場所情報でも示すように特に携帯用通信端末機器１Ｄは第１のゾーンＺ１と第２のゾーンＺ２との間に位置し、携帯用通信端末機器１Ａからメッセージデータを送信してもこれを受信できない環境下に位置するものとする。
【０１１５】
図２７及び図２８は上記携帯用通信端末機器１Ａにおける電源投入後の主としてＣＰＵ２４により制御されるメッセージデータの送信モードでの処理内容を示すものであり、キー入力部１４の電源キー１４ａを操作することで電源がオンとされると、まず着信待ちの状態を設定すると共に（ステップＤ１）、メッセージデータを送信するメッセージ送信モードを選択するべく所定のキーの押圧操作を待機する（ステップＤ２）という動作を繰返し実行する。
【０１１６】
そして、所定のキーが押圧操作され、メッセージ送信モードが選択されたと判断した場合、まず自動応答機能を用いて送信先に応答を要求するメッセージデータを送信するか否か判断する（ステップＤ３）。
【０１１７】
これは、例えば表示入力部１２１に「通常通信」と「自動応答」の２つの項目を文字表示させた上で、そのいずれの文字部分が入力ペン１５によって選択操作されるかにより判断するもので、ここでは「自動応答」の項目の文字部分が入力ペン１５によって選択操作されたものとすると、次いで応答を要求するための送信すべきメッセージデータの入力と登録とを行なう（ステップＤ４）。
【０１１８】
メッセージデータの入力は、表示入力部１２２に表示されるキーボードの任意のキーを入力ペン１５で押圧操作することで数字、記号、アルファベットのみならず、アルファベット入力後の「カナ」キー操作によるかな漢字変換で、かな混りの漢字をも入力可能となるものである。
【０１１９】
そして、メッセージデータの入力を終えたことを表わす表示入力部１２２の表示キーボード上の所定のキーを押圧操作すると、入力したメッセージデータに登録番号が付された上で上記ＲＡＭ３０の出力ボックスＯＢに登録、格納される。
【０１２０】
図２９はこのときの表示入力部１２１での表示画面を例示するものである。ここではメッセージデータの送信モードが設定されていることを示す「送信モード」、現在の時刻「１６：００」と共に、「通常送信」及び「自動応答」の各項目名が表示され、「自動応答」の側が選択されていることを項目名にかかるカーソルで表示している。
【０１２１】
これと共に、メッセージデータの内容として
「２０時までに定時連絡せよ。Ｒ．Ｒ」
なる内容が入力され、このメッセージデータが登録番号「１２」と共にＲＡＭ３０の出力ボックスＯＢに登録、格納されていることを表示している。
【０１２２】
このステップＤ４の処理を終えると、次に送信先の選択を行なう（ステップＤ５）。送信先の選択は、ＣＡＬＬバンク用メモリエリアＣＢから読出されて表示される送信先の名前（ＮＭ）及び送信先の呼出番号（ＣＮ）を順次カーソルキー１４ｂの上下方向への操作でカーソルの移動と共によりスクロールさせ、所望の送信先名が表示された時点でその送信先の位置を入力ペン１５で押圧操作するもので、任意人数を選択することが可能であるものとする。
【０１２３】
送信先が選択されると、次いでその選択された各送信先のスケジュールデータをスケジュールデータ用メモリエリアＳＤ１から読出し、その場所情報により上記場所情報用メモリエリアＺＤを参照して送信を禁止された場所、すなわちゾーンとゾーンとの間を移動中であるか否かを判断する（ステップＤ６）。
【０１２４】
ここで、スケジュールデータから送信が禁止されている場所に存在するであろう送信先に該当する者がないと判断した場合にはなんら問題ないが、あると判断した場合には次いでその該当する者を画面上で反転表示し、送信の禁止が解除される時刻となるまで送信動作を保留した後に送信するか否かの選択を促す文字を表示させた後、その表示に対応して送信先として確定する操作がなされたか否か判断する（ステップＤ８）。
【０１２５】
図３０はこのときの表示入力部１２１での表示画面を例示するものである。ここでは、送信先として、呼出番号が「１−１１１−１１１１」の「Ｔ．Ｔ」さん、呼出番号が「２−２２２−２２２２」の「Ｎ．Ｎ」さん、及び呼出番号が「３−３３３−３３３３」の「Ｍ．Ｍ」さんの計３名を送信先として選択し、そのうち３番目の「Ｍ．Ｍ」さんがそのスケジュールデータにより第１のゾーンＺ１と第２のゾーンＺ２の間を移動中であるので現在応答が不可能であることを表示している。
【０１２６】
そして、この表示と共に、この現在応答が不可能な送信先、ここでは「Ｍ．Ｍ」さんのみ、に対して送信の禁止が解除される時刻となるまで送信動作を保留した後に送信を行なうか否かの選択を促す文字及びその選択項を
「  (3)の端末は、現在応答が不可能です！送信しますか？  ＹＥＳ  ＮＯ」
のように表示し、選択項の一方である「ＹＥＳ」を反転表示するものである。
【０１２７】
この表示状態で「ＹＥＳ」の文字部分を入力ペン１５により押圧操作すると送信を確定する操作がなされたこととなり、反対に「ＮＯ」の文字部分を押圧操作すると現在応答が不可能な送信先に対する選択が解除され、上記ステップＤ５からの処理に戻ることとなる。
【０１２８】
しかして、ステップＤ８で送信先を確定する操作がなされたと判断した後、あるいは上記ステップＤ６で送信が禁止されている送信先がないと判断した後に、所定のキー操作により送信を実行する指示入力がなされたか否か判断する（ステップＤ１１）。
【０１２９】
そして、送信を実行する指示入力がなされたと判断すると、ＲＡＭ３０の出力ボックスＯＢに格納されているメッセージデータに上記送信が禁止されていない送信者の呼出番号を付して順次送信出力を実行する（ステップＤ１２）。
【０１３０】
その後、この送信出力の処理により送信しなかった保留者があるか否か、すなわち上記ステップＤ８で送信の禁止が解除される時刻となるまで送信動作を保留した後に送信を行なう者として確定された送信先があるか否かを判断する（ステップＤ１４）。
【０１３１】
ないと判断した場合は問題ないので、再び上記ステップＤ１からの処理に戻るが、あると判断した場合には該当する送信先の送信を禁止する時間帯が終了して送信処理が解除される時刻となるまで呼出番号とメッセージデータとを保留しておき（ステップＤ１４，Ｄ１７）、送信処理が解除される時刻となったと判断した時点で（ステップＤ１４）、あらためて保留しておいた呼出番号とメッセージデータとにより再度の送信出力を実行し（ステップＤ１５）、それから上記ステップＤ１からの処理に戻る。
【０１３２】
図３１はこのときの表示入力部１２１での表示画面を例示するものである。ここでは、上記図３０において「１６：００」の時点で送信が禁止されていた「Ｍ．Ｍ」さんの携帯用通信端末機器１Ｄに対して、保留していたメッセージデータを送信出力した旨を、送信したその時点での日付及び時刻と共に
「９５年５月１日（月）  １７：００
！メッセージナンバー１２を端末(3)  に送信しました。」のように表示するものである。
【０１３３】
なお、上記ステップＤ３で、自動応答機能を用いて送信先に応答を要求するメッセージデータを送信する「自動応答」ではなく、「通常通信」が入力ペン１５の押圧操作により選択されたと判断した場合には、次いで応答を要求しない、通常のメッセージデータの入力と入力したメッセージデータの出力ボックスＯＢへの登録とを行ない（ステップＤ９）、その後に上記ステップＤ５と同様の操作で送信先の選択を行なった後（ステップＤ１０）、上記ステップＤ１１に進んで所定のキー操作により送信を実行する指示入力がなされたか否か判断する。
【０１３４】
また、このステップＤ１１で送信を実行する指示入力がなされなかったと判断した場合には、送信すべきデータをそのままＲＡＭ３０の出力ボックスＯＢに記憶したまま（ステップＤ１６）、上記ステップＤ１からの処理に戻る。
【０１３５】
なお、上記第３の実施の形態では、送信先のスケジュールデータを送信側が記憶、格納することで、送信するメッセージデータの保留を送信側の端末機器で行なうものとして説明したが、複数のゾーンを管理するオペレーションセンタがスケジュールデータの管理、メッセージデータの保留等をも統括して管理するようにしてもよい。
【０１３６】
以上のように第３の実施の形態では、送信先のスケジュールデータとして設定した場所情報とその前後に位置するスケジュールデータの場所情報の属するゾーンの変更の有無を検出することで、自機側からの送信を禁止するか否かを判断するようにしたものを例示した。
【０１３７】
このような構成及び動作を有することにより、特に応答を要求するメッセージデータを送信する場合などに、送信先側での受信が不可能であると判断される場合での送信動作を抑制することにより、無駄な送信動作による電源である電池の消耗を未然に防ぐだけでなく、送信先の状態を認識して、送信可能となった時点で確実に該メッセージデータを送信することが可能となるものである。
【０１３８】
なお、上述した第１乃至第３の実施の形態のいずれにあっても、本発明を携帯用通信端末機器に適用した場合を例示したが、これに限ることなく、デジタル携帯電話、トランシーバ、その他、無線信号の送受によって通信を行なう各種電子機器に適用可能であることは勿論である。
【図面の簡単な説明】
【０１３９】
【図１】本発明の第１の実施の形態に係る通信システムの構成概念を示す図。
【図２】同実施の形態に係る携帯用通信端末機器の外観構成を示す図。
【図３】同実施の形態に係る携帯用通信端末機器の内部回路構成を示すブロック図。
【図４】図３のＲＡＭのメモリエリア構成を示す図。
【図５】図４のスケジュールデータ用メモリエリア（ＳＤ）での記憶内容を例示する図。
【図６】図４の移動手段用メモリエリア（ＭＤ）での記憶内容を例示する図。
【図７】図３のＲＯＭに記憶される送信判断データ（ＭＢ）を例示する図。
【図８】同実施の形態に係るスケジュールモード時の処理内容を示すフローチャート。
【図９】同実施の形態に係るスケジュールモード時の表示画面を例示する図。
【図１０】同実施の形態に係るスケジュールモード時の表示画面を例示する図。
【図１１】同実施の形態に係るスケジュールモード時の表示画面を例示する図。
【図１２】同実施の形態に係る送信処理時の内容を示すフローチャート。
【図１３】同実施の形態に係る送信処理時の内容を示すフローチャート。
【図１４】同実施の形態に係る送信処理時の内容を示すフローチャート。
【図１５】同実施の形態に係る送信処理時の内容を示すフローチャート。
【図１６】同実施の形態に係る送信処理時の表示画面を例示する図。
【図１７】同実施の形態に係る送信処理時の表示画面を例示する図。
【図１８】同実施の形態に係る送信処理時の表示画面を例示する図。
【図１９】本発明の第２の実施の形態に係る送受信可能なゾーン及びエリアの構成概念を示す図。
【図２０】同実施の形態に係る携帯用通信端末機器のＲＡＭのメモリエリア構成を示す図。
【図２１】図２０の場所情報用メモリエリア（ＺＤ）での記憶内容を例示する図。
【図２２】同実施の形態に係るスケジュールモード時の処理内容を示すフローチャート。
【図２３】同実施の形態に係るスケジュールモード時の表示画面を例示する図。
【図２４】本発明の第３の実施の形態に係る携帯用通信端末機器のＲＡＭのメモリエリア構成を示す図。
【図２５】図２４のＣＡＬＬバンク用メモリエリア（ＣＢ）での記憶内容を例示する図。
【図２６】同実施の形態に係る送受信可能なゾーン及びエリアと複数の携帯用通信端末機器の位置関係を例示する図。
【図２７】同実施の形態に係るメッセージ送信モード時の処理内容を示すフローチャート。
【図２８】同実施の形態に係るメッセージ送信モード時の処理内容を示すフローチャート。
【図２９】同実施の形態に係るメッセージ送信モード時の表示画面を例示する図。
【図３０】同実施の形態に係るメッセージ送信モード時の表示画面を例示する図。
【図３１】同実施の形態に係るメッセージ送信モード時の表示画面を例示する図。
【符号の説明】
【０１４０】
１Ａ〜１Ｄ…携帯用通信端末機器
２，２′，４２Ａ〜４２Ｄ…受信基地局
３，３′，４３Ａ〜４３Ｄ…送信基地局
４，４′…中継器
５…オペレーションセンタ
６…通信衛星
７，７′，４７Ａ〜４７Ｄ…公衆電話回線
１１…本体ケース
１２１，１２２…表示入力部
１３…ＬＥＤ
１４…キー入力部
１４ａ…電源キー
１４ｂ…カーソルキー
１４ｃ…着信読出しキー
１４ｄ…出力ボックス読出しキー
１４ｅ…ＣＡＬＬバンクキー
１４ｆ…スケジュールモードキー
１５…入力ペン
２１…受信アンテナ
２２…ＲＦ受信部
２３…デコーダ部
２４…ＣＰＵ
２４ａ…内部クロック
２５…ＩＤ−ＲＯＭ
２６，２８…ドライバ
２７…報知部
２９…ＲＯＭ
３０…ＲＡＭ
３１…エンコーダ部
３２…ＲＦ送信部
３３…送信アンテナ
ＣＢ…ＣＡＬＬバンク用メモリエリア
ＯＢ…出力ボックス
ＭＭ…メッセージデータ用メモリエリア
ＳＤ，ＳＤ１…スケジュールデータ用メモリエリア
ＭＤ…移動手段用メモリエリア
ＭＢ…送信判断データ
ＺＤ…場所情報用メモリエリア
Ａ〜Ｄ，Ａ１，Ａ２…エリア
Ｚ１，Ｚ２…ゾーン
【図１】
2006191672.tif 000003
【図２】
2006191672.tif 000004
【図３】
2006191672.tif 000005
【図４】
2006191672.tif 000006
【図５】
2006191672.tif 000007
【図６】
2006191672.tif 000008
【図７】
2006191672.tif 000009
【図８】
2006191672.tif 000010
【図９】
2006191672.tif 000011
【図１０】
2006191672.tif 000012
【図１１】
2006191672.tif 000013
【図１２】
2006191672.tif 000014
【図１３】
2006191672.tif 000015
【図１４】
2006191672.tif 000016
【図１５】
2006191672.tif 000017
【図１６】
2006191672.tif 000018
【図１７】
2006191672.tif 000019
【図１８】
2006191672.tif 000020
【図１９】
2006191672.tif 000021
【図２０】
2006191672.tif 000022
【図２１】
2006191672.tif 000023
【図２２】
2006191672.tif 000024
【図２３】
2006191672.tif 000025
【図２４】
2006191672.tif 000026
【図２５】
2006191672.tif 000027
【図２６】
2006191672.tif 000028
【図２７】
2006191672.tif 000029
【図２８】
2006191672.tif 000030
【図２９】
2006191672.tif 000031
【図３０】
2006191672.tif 000032
【図３１】
2006191672.tif 000033